(57)【要約】【課題】ガス遮断装置の配管上流側にＧＨＰ等がありガス遮断装置に供給される圧力が大きく変動する場合に、ガスメータの計測異常やガス燃焼機器の異常燃焼を防止することを実現すること。【解決手段】流量計測手段１４により計測された流量が予め定められた単位時間ｔ中に予め定められた回数ｎと予め定められた変動範囲ｍを超えて変動する場合、流量変動有りと判定を実施する流量変動判定手段８ａと、流量変動が有る場合、圧力センサ９を一定時間連続運転し圧力脈動値を判定する圧力脈動判定手段８ｂにより、正確に圧力脈動値を得ることができ、ガスメータの計測異常やガス燃焼機器の異常燃焼を防止することができる。【選択図】図１
2005172498.tif 000002
【特許請求の範囲】
【請求項１】
ガスを流すための流路と、前記流路を流れるガスの流量を測定するための流量検出手段と、前記流量検出手段を駆動する流量検出手段駆動回路と、異常時に前記流路を遮断する遮断弁と、前記遮断弁を動作させるための遮断弁駆動回路と、定期的間欠的にガスの圧力を検出する圧力センサと、前記圧力センサを駆動する圧力センサ駆動回路と、前記圧力センサと遮断弁と流量検出手段を制御し、計測された流量が予め定められた単位時間ｔ中に予め定められた回数ｎと予め定められた変動範囲ｍを超えて変動する場合、流量変動有りと判定する流量変動判定手段と、前記流量変動判定手段により流量変動が有りと判定された場合、前記圧力センサを一定時間連続運転し圧力脈動値を判定する圧力脈動判定手段を備えた制御回路と、電源としての電池を備えたガス遮断装置。
【請求項２】
圧力センサにより計測された圧力脈動値が予め定められた単位時間Ｔ中に予め定められた回数Ｎと予め定められた変動範囲Ｍを超えて変動する場合、圧力脈動大として判定する圧力脈動大検出手段を備えた請求項１記載のガス遮断装置。
【請求項３】
圧力脈動大検出手段により圧力脈動が大と判定された場合、遮断弁を駆動し流路を閉じガスを遮断する圧力脈動大時ガス遮断手段を備えた請求項２記載のガス遮断装置。
【請求項４】
ガス流量を検出する流量検出手段を超音波式とした請求項３記載のガス遮断装置。
【請求項５】
ガス流量を検出する流量検出手段をフローセンサー式とした請求項３記載のガス遮断装置。
【請求項６】
ガス流量を検出する流量検出手段をフルイディック式とした請求項３記載のガス遮断装置。
【発明の詳細な説明】
【技術分野】
【０００１】
本発明は、ガス流量を計測し、異常流量が計測された場合にはガス通路を遮断し、ガス使用上の安全性を確保するガス遮断装置に関するものである。
【背景技術】
【０００２】
従来この種のガス遮断装置（ガス事故防止装置）は、予め記憶された適正なガス使用条件を逸脱した時にガスを遮断するという機能のものである（例えば、特許文献１参照）。
図４は、前記公報に記載された従来のガス事故防止装置を示すものである。図４において、ガスはガスの供給ライン１のメータコック２を通り、遮断装置３を経てガスメータ４に入る。
【０００３】
ガスはガスメータ４で流量が積算されてから家屋内に供給される。５は流量測定装置であり、例えばガスメータ４よりの機械的信号を得て時々刻々の流量信号を制御装置６へ送り続ける。制御装置６では、現在のガス流量値と予め制御装置６に記憶されているガスの使用方法として適正と判断される限界値と比較してこの使用条件を逸脱すれば異常と判断する。異常と判断すれば遮断装置３に対してガスの供給を遮断するよう遮断信号を送ることとなる。７はこれらの装置のための電源である。また、これらの各装置をガスメータ４と一体構造で構成した実施例も同時に記載されている。この装置は、一般的にガスマイコンメータと呼ばれ、近年ではほとんどの家庭に設置され、ガス事故低減に大きな効果を発揮している。
【特許文献１】特許第１５９７８１５号公報（第３−５頁、第１〜３図）
【発明の開示】
【発明が解決しようとする課題】
【０００４】
しかしながら、前記従来のガス遮断装置では、ガス遮断装置の配管上流側にＧＨＰ等がありガス遮断装置に供給される圧力が大きく変動する場合、計測流体の流速が変動するため、正確な計測が得られないという課題や、ガスコンロやガス給湯器といったガス燃焼機器が異常燃焼を発生してしまうなどの課題があった。
【０００５】
本発明は、前記従来の課題を解決するもので、圧力脈動値が過大に変動する場合、ガスの供給を遮断することを目的とする。
【課題を解決するための手段】
【０００６】
前記従来の課題を解決するために、本発明のガス遮断装置では、計測された流量が予め定められた単位時間ｔ中に予め定められた回数ｎと予め定められた変動範囲ｍを超えて変動する場合流量変動有りとして判定し、圧力センサを一定時間連続運転し圧力脈動値を判定する圧力脈動判定手段を備え、圧力脈動値が大きい場合、圧力脈動大検出手段により判定し、ガス遮断弁を閉じ、ガスの供給を停止することとしたものである。
【０００７】
これにより、圧力脈動値が過大に変動する場合、ガスの供給を停止することが可能となるため、正確な流量計測値が得られない時や、ガスコンロやガス給湯器といったガス燃焼機器が異常燃焼を発生することを未然に防ぐことが可能となる。
【発明の効果】
【０００８】
本発明のガス遮断装置では、圧力脈動値が過大に変動する場合、ガスの供給を停止することが可能となるため、正確な流量計測値が得られない時や、ガスコンロやガス給湯器といったガス燃焼機器が異常燃焼を発生することを未然に防ぐことが可能となる。
【発明を実施するための最良の形態】
【０００９】
第１の発明は、ガスを流すための流路と、前記流路を流れるガスの流量を測定するための流量検出手段と、前記流量検出手段を駆動する流量検出手段駆動回路と、異常時に前記流路を遮断する遮断弁と、前記遮断弁を動作させるための遮断弁駆動回路と、定期的間欠的にガスの圧力を検出する圧力センサと、前記圧力センサを駆動する圧力センサ駆動回路と、前記圧力センサと遮断弁と流量検出手段を制御し、計測された流量が予め定められた単位時間ｔ中に予め定められた回数ｎと予め定められた変動範囲ｍを超えて変動する場合、流量変動有りと判定する流量変動判定手段と、前記流量変動判定手段により流量変動が有りと判定された場合、前記圧力センサを一定時間連続運転し圧力脈動値を判定する圧力脈動判定手段を備えた制御回路と、電源としての電池を備えることにより、正確に圧力脈動値を得ることができる。また、圧力センサは消費電流が非常に大きいため、電池を主電源とするガス遮断装置においては、常時連続駆動することが不可能であったが、流量変動検出後、一定時間のみ連続駆動することにより、低消費電流で圧力脈動値を検出することができ、ガス遮断装置への搭載が可能となる。
【００１０】
第２の発明は、特に第１の発明の圧力センサにより計測された圧力脈動値を、予め定められた単位時間Ｔ中に予め定められた回数Ｎと予め定められた変動範囲Ｍを超えて変動する場合、圧力脈動大として判定する圧力脈動大検出手段を備えることにより、異常に過大な圧力脈動値を正確に判定することができる。
【００１１】
第３の発明は、特に第２の発明の圧力脈動大検出手段により圧力脈動が大と判定された場合、遮断弁を駆動し、流路を閉じガスを遮断する圧力脈動大時ガス遮断手段を備えることにより、圧力脈動値が過大に変動する場合、正確な流量計測値が得られないばかりでなく、ガスコンロやガス給湯器といったガス燃焼機器が以上燃焼を発生してしまうなどの課題があるので、ガスの供給を停止することが可能となる。
【００１２】
第４の発明は、特に第３の発明のガス流量を検出する流量検出手段を超音波式としたものである。
【００１３】
第５の発明は、特に第３の発明のガス流量を検出する流量検出手段をフローセンサー式としたものである。
【００１４】
第６の発明は、特に第３の発明のガス流量を検出する流量検出手段をフルイディック式としたものである。
【００１５】
以下、本発明の実施の形態について図面を参照しながら説明する。なお、本実施の形態によって本発明が限定されるものではない。
【００１６】
（実施の形態１）
図１は本発明の第１の実施の形態におけるガス遮断装置の構成図を示すものである。
【００１７】
図１において、８は制御回路であり、流量変動判定手段８ａ、圧力脈動判定手段８ｂ、圧力脈動大検出手段８ｃ、圧力脈動大時ガス遮断手段８ｄを有している。また、９は圧力センサであり、圧力センサ駆動回路１０により通常、定期的に間欠的に駆動され圧力を検出している。なお、１１は遮断弁であり、１２の遮断弁駆動回路により駆動させれ、１３の流路を閉じガスの供給を停止する。また、１４は流量検出手段であり、１５の流量検出手段駆動回路により駆動され、流量値を制御回路８へ伝える。また、１６はそれらを駆動するための電源としての電池である。
【００１８】
以上のように構成されたガス遮断装置について、以下その動作、作用を説明する。
【００１９】
図２は、流量検出手段で検出される流量値の変動を示す図であり、ガス遮断装置の上流側にＧＨＰ等の圧力脈動発生させる装置がある場合、大きく変動し、予め定められた単位時間ｔ中に予め定められた回数ｎと予め定められた変動範囲ｍを超えて変動する。この場合に、流量変動がありとして、圧力センサを連続駆動する。
【００２０】
次に、図３は、圧力変動判定手段により検出される圧力値を示す図であり、予め定められた単位時間Ｔ中に予め定められた回数Ｎと予め定められた変動範囲Ｍを超えて変動する場合に、圧力脈動大検出手段により圧力脈動大として判定する。そして、この圧力脈動大と判定された場合、遮断弁を駆動し、ガスの供給を停止し、安全を確保することとなる。
【００２１】
以上のように、本発明の形態においては、ガスを流すための流路と、流路を流れるガスの流量を測定するための流量検出手段と、流量検出手段を駆動する流量検出手段駆動回路と、異常時にガス通路を遮断する遮断弁と、前記遮断弁を動作させるための遮断弁駆動回路と、定期的間欠的にガスの圧力を検出する圧力センサと、前記圧力センサを駆動する圧力センサ駆動回路と、圧力センサと遮断弁と流量検出手段を制御し、計測された流量が予め定められた単位時間ｔ中に予め定められた回数ｎと予め定められた変動範囲ｍを超えて変動する場合、流量変動有りと判定を実施する流量変動判定手段と、前記流量変動判定手段により流量変動が有りと判定された場合、圧力センサを一定時間連続運転し圧力脈動値を判定する圧力脈動判定手段を備えた制御回路と、圧力センサと遮断弁と流量検出手段と制御回路に電流を供給するための電池を備えることにより、正確に圧力脈動値を得ることができることとなる。また、圧力センサは消費電流が非常に大きいため、電池を主電源とするガス遮断装置においては、常時連続駆動することが不可能であったが、流量変動検出後、一定時間のみ連続駆動することにより、低消費電流で圧力脈動値を検出することができ、ガス遮断装置への搭載が可能となる。
【００２２】
また、圧力センサにより計測された圧力脈動値を、予め定められた単位時間Ｔ中に予め定められた回数Ｎと予め定められた変動範囲Ｍを超えて変動する場合、圧力脈動大として判定する圧力脈動大検出手段を備えることにより、異常に過大な圧力脈動値を正確に判定することができる。
【００２３】
また、圧力脈動大検出手段により圧力脈動が大と判定された場合、遮断弁を駆動させ、流路を閉じガスを遮断する圧力脈動大時ガス遮断手段を備えることにより、圧力脈動値が過大に変動する場合、正確な流量計測値が得られないばかりでなく、ガスコンロやガス給湯器といったガス燃焼機器が以上燃焼を発生してしまうなどの課題があるので、ガスの供給を停止することが可能となる。
【産業上の利用可能性】
【００２４】
以上のように、本発明にかかるガス遮断装置は、圧力脈動が大と判定された場合、遮断弁を駆動させ、流路を閉じガスを遮断する圧力脈動大時ガス遮断手段を備えることにより、圧力脈動値が過大に変動する場合、正確な流量計測値が得られないばかりでなく、ガスコンロやガス給湯器といったガス燃焼機器が以上燃焼を発生してしまうなどの課題があるので、ガスの供給を停止することが可能となるので、家庭用、工業用のガスメータ等への用途に適応ができる。
【図面の簡単な説明】
【００２５】
【図１】本発明の実施の形態１におけるガス遮断装置を示す構成図
【図２】本発明の実施の形態１における流量変動値の説明図
【図３】本発明の実施の形態１における圧力変動値の説明図
【図４】従来のガス遮断装置を示す構成図
【符号の説明】
【００２６】
８ａ  流量変動判定手段
８ｂ  圧力変動判定手段
８ｃ  圧力変動大検出手段
８ｄ  圧力変動大時ガス遮断手段
９  圧力センサ
１０  圧力センサ駆動回路
１１  遮断弁
１２  遮断弁駆動回路
１３  流路
１４  流量検出手段
１５  流量検出手段駆動回路
１６  電池
【図１】
2005172498.tif 000003
【図２】
2005172498.tif 000004
【図３】
2005172498.tif 000005
【図４】
2005172498.tif 000006